(57)【要約】【課題】モータ駆動回路の破壊により、高電圧直流電源と制御電源及び速度制御手段とが短絡し、モータが搭載される上位機器の制御電源と速度制御手段などを破壊に至らしめるのを防止する。【解決手段】モータ駆動装置を構成するパワースイッチング素子５に、高電圧直流電源出力が入力され、制御回路４に、制御電源２と、速度制御手段の出力が入力されると共に、モータの速度信号を前記速度制御手段に出力するよう構成したモータ駆動装置であって、制御回路４に、制御電源２と、速度制御手段３の出力が第一並びに第二の逆流防止手段を介して、入力されると共に、モータの速度信号を速度制御手段３に第三の逆流防止手段を介して、出力するように構成したものであり、上記構成により、短絡を防止し、モータが搭載される上位機器の制御電源や速度制御手段を破壊に至らせない効果を有する。【選択図】図１
2007110867.tif 000002
【特許請求の範囲】
【請求項１】
複数相のモータ駆動巻線と、パワースイッチング素子と制御回路とから成るモータ駆動回路と、高電圧直流電源と、制御電源と、速度制御手段とで構成されたモータ駆動装置であって、前記パワースイッチング素子には、前記高電圧直流電源出力が入力され、前記制御回路には、前記制御電源出力と、速度制御手段の出力が第一並びに第二の逆流防止手段を介して、入力されることによって、駆動装置を構成する駆動回路が破壊に至った際に、前記高電圧直流電源と前記制御電源及び速度制御手段が短絡されることのないようにすると共に、モータの速度信号を前記速度制御手段に第三の逆流防止手段を介して出力することによって駆動装置を構成する駆動回路が破壊に至った際に、前記高電圧直流電源と前記速度制御手段が短絡されることのないようにし、このモータを搭載する上位機器に破壊が及ぶことのないよう構成したモータ駆動装置。
【請求項２】
第一、第二、第三の逆流防止手段をダイオードで構成した、請求項１記載のモータ駆動装置。
【発明の詳細な説明】
【技術分野】
【０００１】
本発明は、空調機器や給湯器などに用いられるファンモータの駆動装置に関する。
【背景技術】
【０００２】
従来、モータ駆動装置として、複数相のモータ駆動巻線と、パワースイッチング素子と、制御回路と、高電圧直流電源と、制御電源と、速度制御手段とで構成されたものがある。
【０００３】
図４はパワースイッチング素子５に、高電圧直流電源出力１が入力され、制御回路４に、制御電源２と、速度制御手段３の出力が入力されると共に、ロータの磁極位置を示す位置センサからの信号に基づいてロータの回転速度を意味する信号を速度制御手段３に出力するよう構成したモータ駆動装置の詳細図である。高電圧電源１からの高電圧と制御電源２からの制御電圧（低電圧）はモータ駆動装置内で絶縁されている。
【０００４】
このようなモータ駆動装置においてはモータ駆動回路６の破壊により、モータ駆動回路６内部の高電圧部と制御電圧部が短絡されうる。
【０００５】
図５はモータ駆動回路６破壊により高電圧直流電源１が制御電源２（低電圧）に短絡された状態を示す。これにより以下の課題が発生する。
【０００６】
図６は、図５の制御電源の電圧を示すタイミングチャートである。時刻ｔ＝ｔ１においてモータ駆動回路６の万一の破壊により高電圧部と制御電圧部が短絡されると高電圧直流電源１が制御電源２又は速度制御手段３に印加され、低電圧の制御電源２が破壊に及ぶことが有った。また図示しないが速度制御手段３に対しての場合も同様である。
【特許文献１】特開２０００−２３４６７号公報
【発明の開示】
【発明が解決しようとする課題】
【０００７】
解決しようとする課題は、モータ駆動回路の破壊により、高電圧直流電源と制御電源及び速度制御手段とが短絡し、モータが搭載される上位機器の前記制御電源と前記速度制御手段などを破壊に至らしめることを防止することである。
【課題を解決するための手段】
【０００８】
本発明は、前記高電圧直流電源から供給される電力をモータ駆動巻線に供給するモータ駆動装置において、前記モータ駆動装置を構成するパワースイッチング素子に、前記高電圧直流電源出力が入力され、制御回路に、制御電源と、速度制御手段の出力が入力されると共に、モータの速度信号を前記速度制御手段に出力するよう構成したモータ駆動装置であって、前記制御回路に、前記制御電源と、前記速度制御手段の出力が第一並びに第二の逆流防止手段を介して、入力されると共に、モータの速度信号を前記速度制御手段に第三の逆流防止手段を介して、出力するように構成したものである。
【発明の効果】
【０００９】
本発明のモータ駆動装置は、上記構成により、万一、モータ駆動回路が破壊した際、駆動回路内部で高電圧の高電圧直流電源出力と低電圧の制御電源及び速度制御手段が短絡に至り、それらをも破壊に至らせないように、短絡を想定したときに高電圧と制御電圧に対し高電圧側がカソードとなるように接続された逆流防止手段により短絡を防止し、モータが搭載される上位機器の制御電源や速度制御手段を破壊に至らせない利点がある。
【発明を実施するための最良の形態】
【００１０】
本発明は、前記高電圧直流電源から供給される電力をモータ駆動巻線に供給するモータ駆動装置において、前記モータ駆動装置を構成するパワースイッチング素子に、前記高電圧直流電源出力が入力され、制御回路に、制御電源と、速度制御手段の出力が入力されると共に、モータの速度信号を前記速度制御手段に出力するよう構成したモータ駆動装置であって、前記制御回路に、前記制御電源と、前記速度制御手段の出力が第一並びに第二の逆流防止手段を介して、入力されると共に、モータの速度信号を前記速度制御手段に第三の逆流防止手段を介して、出力するように構成したものであり、これにより、万一にもモータ駆動回路が破壊した際、逆流防止手段によりモータが搭載される上位機器の制御電源や速度制御手段を破壊に至らせない利点がある。
【実施例１】
【００１１】
図１は本発明のモータ駆動装置の全体構成図であり、制御回路４、パワースイッチング素子５、逆流防止ダイオードＤ１〜Ｄ３、巻線Ｌ１〜Ｌ３からなるモータ、高電圧直流電源１、制御電源２、速度制御手段３から構成されている。
【００１２】
パワースイッチング素子５は、高電圧直流電源１（高電圧）出力が入力される。制御回路４には、制御電源２（低電圧）と速度制御手段３（低電圧）の出力が逆流防止ダイオードＤ１並びに逆流防止ダイオードＤ２を介して、入力され、またモータの速度信号を速度制御手段３（低電圧）に逆流防止ダイオードＤ３を介して、出力するように構成される。
【００１３】
逆流防止ダイオードＤ１〜Ｄ３はモータ駆動回路破壊による高電圧の高電圧直流電源出力と低電圧の制御電源及び速度制御手段が短絡の際、図２のように高電圧と制御電圧に対し高電圧側がカソードとなるように接続され構成される。以下、速度制御手段３に対しての場合も同様なので略す。
【００１４】
以上のように構成された本実施例における動作を以下に説明する。
【００１５】
図３において、時刻ｔ＝ｔ１以前はモータ駆動回路６破壊前、以後は破壊後とする。
【００１６】
今時刻ｔ＝ｔ１において、モータ駆動回路６内部においてＶｄｃとＶｃｃが短絡すると、回路は図２のような状態となり、制御電源２とＤ１に高電圧が印加される。Ｄ１のカソード側に高電圧が印加されるのでＤ１は非導通状態であり、高電圧は制御電源２に印加されることはなく、制御電源も壊に至ることはない。
【００１７】
以下、速度制御手段３に対しての場合も同様なので略す。
【産業上の利用可能性】
【００１８】
本発明は商用電源を整流平滑などして得られる高電圧の電源により駆動される家電用のモータ駆動に好適であり、万一のモータ駆動装置の破壊の際にも高電圧を上位機器の低電圧部に印加させて破壊に至らしめることを防止するのに有効である。
【図面の簡単な説明】
【００１９】
【図１】本発明のモータ駆動装置の全体構成図
【図２】本発明のモータ駆動装置の高電圧直流電源と制御電源の短絡時の詳細図
【図３】本発明のモータ駆動装置の動作を示す図
【図４】従来のモータ駆動装置の全体構成図
【図５】従来のモータ駆動装置であって、高電圧直流電源と制御電源の短絡時の詳細図
【図６】従来のモータ駆動装置の動作を示す図
【符号の説明】
【００２０】
１  高電圧直流電源
２  制御電源
３  速度制御手段
４  制御回路
５  パワースイッチング素子
６  モータ駆動回路
７  モータ駆動巻線
８  逆流防止手段
【図１】
2007110867.tif 000003
【図２】
2007110867.tif 000004
【図３】
2007110867.tif 000005
【図４】
2007110867.tif 000006
【図５】
2007110867.tif 000007
【図６】
2007110867.tif 000008